(57)【要約】  【課題】大規模かつ高価な空調装置を用いることなく、栽培対象植物に適した環境への調整を従来よりも容易に実現すること。  【解決手段】栽培棚における栽培対象植物の上方に配置した状態で、栽培対象植物の栽培環境を調整すべく、本体部と、１以上の光源と、１以上の排出口それぞれから栽培媒体を排出する供給経路と、を備えた構成とすることによって、栽培対象植物それぞれに対して個別に栽培媒体を排出することができるため、大規模かつ高価な空調装置などがなくても、栽培対象植物に適した環境への調整を容易に実現することができる。さらに、栽培対象植物それぞれに対して個別に栽培媒体を排出する構造上、栽培対象植物それぞれへと直接的に適切な二酸化炭素濃度の栽培媒体を付与することができるだけでなく、この栽培媒体により栽培対象植物近辺を適切に換気することができるため、栽培対象植物の栽培促進という観点で好適である。【選択図】図２
2013106600.tif 000002
【特許請求の範囲】
【請求項１】
それぞれ複数の栽培対象植物を配置可能な栽培棚のうち、該栽培対象植物の上方に配置した状態で、該栽培対象植物を栽培するための環境を調整する植物栽培装置であって、
前記栽培対象植物が配置された列に沿って延びる本体部と、
前記本体部の下方側領域のうち、前記栽培対象植物それぞれと対向する領域に設けられ、該栽培対象植物に向けて所定波長の光を照射する１以上の光源と、
前記本体部の下方側領域のうち、前記光源を挟んだ一方または両方の領域を長手方向に沿って延びるように設けられた管状の部材であって、該管状の内部空間に二酸化炭素を含む栽培媒体を流通させると共に、該管状の表面に長手方向に沿って形成された１以上の排出口それぞれから前記栽培媒体を排出して前記栽培対象植物へと供給する供給経路と、を備えている
ことを特徴とする植物栽培装置。
【請求項２】
前記本体部において、前記光源が設けられた領域と隣接する領域を長手方向に沿って貫通するように設けられ、前記光源を冷却するための冷却媒体を流通させる冷却経路、を備えている
ことを特徴とする請求項１に記載の植物栽培装置。
【請求項３】
前記本体部の下方側領域は、前記供給経路よりも前記光源の方が前記栽培対象植物に向けて突出した位置関係になるように形成されており、
前記供給経路は、少なくとも前記排出口における一部が前記光源に向けられている
ことを特徴とする請求項１または請求項２に記載の植物栽培装置。
【請求項４】
それぞれ複数の栽培対象植物を配置可能な栽培棚と、該栽培対象植物の上方に配置される植物栽培装置と、からなる植物栽培システムであって、
前記植物栽培装置には、請求項１から３のいずれかに記載の植物栽培装置が用いられる
ことを特徴とする植物栽培システム。
【発明の詳細な説明】
【技術分野】
【０００１】
本発明は、植物栽培装置に関する。
【背景技術】
【０００２】
近年、建物内において植物の栽培を行うシステムとして、例えば、床に沿って移動可能な多段ラック式の栽培棚を複数並べたものが提案されている（特許文献１参照）。
【先行技術文献】
【特許文献】
【０００３】
【特許文献１】特許第３１０５４８２号
【発明の概要】
【発明が解決しようとする課題】
【０００４】
しかし、上記システムでは、システムを収容する建物内部の環境（二酸化炭素濃度など）を栽培対象植物に適した状態にする必要があり、その調整が難しく、また、大規模かつ高価な空調装置などが必要になるという課題があった。
【０００５】
本発明は、このような課題を解決するためになされたものであり、その目的は、大規模かつ高価な空調装置を用いることなく、栽培対象植物に適した環境への調整を従来よりも容易に実現するための技術を提供することである。
【課題を解決するための手段】
【０００６】
上記課題を解決するため第１の構成（請求項１）は、それぞれ複数の栽培対象植物を配置可能な栽培棚のうち、該栽培対象植物の上方に配置した状態で、該栽培対象植物を栽培するための環境を調整する植物栽培装置である。
【０００７】
そして、前記栽培対象植物が配置された列に沿って延びる本体部と、前記本体部の下方側領域のうち、前記栽培対象植物それぞれと対向する領域に設けられ、該栽培対象植物に向けて所定波長の光を照射する１以上の光源と、前記本体部の下方側領域のうち、前記光源を挟んだ一方または両方の領域を長手方向に沿って延びるように設けられた管状の部材であって、該管状の内部空間に二酸化炭素を含む栽培媒体を流通させると共に、該管状の表面に長手方向に沿って形成された１以上の排出口それぞれから前記栽培媒体を排出して前記栽培対象植物へと供給する供給経路と、を備えている。
【０００８】
このように構成された植物栽培装置によれば、栽培対象植物それぞれに対して個別に栽培媒体を排出することができるため、大規模かつ高価な空調装置などがなくても、栽培対象植物に適した環境（二酸化炭素濃度など）への調整を容易に実現することができる。
【０００９】
さらに、上記構成では、栽培対象植物それぞれに対して個別に栽培媒体を排出する構造上、栽培対象植物それぞれへと直接的に適切な二酸化炭素濃度の栽培媒体を付与することができるだけでなく、この栽培媒体により栽培対象植物近辺を適切に換気することができるため、栽培対象植物の栽培促進という観点で好適である。
【００１０】
この構成において、本体部に設けられる光源は、栽培対象植物それぞれに１つずつのものが配置されることとしてもよいし、複数の栽培対象植物それぞれに光を照射可能な形状のもの１以上が配置されることとしてもよい。
【００１１】
また、この光源においては、栽培対象植物の種類に応じた最適な波長で光を照射できるものを採用すればよく、具体例な光源としては、例えば、白熱電球、蛍光灯、発光ダイオードなどが考えられる。
【００１２】
また、上記構成における供給経路は、その長手方向に沿って１以上の排出口が形成されていればよく、この排出口は、長手方向に延びた形状で１以上を形成してもよいし、栽培対象植物それぞれに応じた孔状のものを複数形成することとしてもよい。
【００１３】
ところで、上記構成においては、光源による光の照射に伴い、この光源およびその周辺が発熱するため、適切な温度環境の維持、光源としての安定動作といった観点から、光源およびその周辺を冷却できることが望ましい。
【００１４】
このための構成としては特に限定されないが、例えば、以下に示す第２の構成（請求項２）、第３の構成（請求項３）のようにすることが考えられる。
まず、第２の構成は、前記本体部において、前記光源が設けられた領域と隣接する領域を長手方向に沿って貫通するように設けられ、前記光源を冷却するための冷却媒体を流通させる冷却経路、を備えている。
【００１５】
この構成であれば、光源に沿って設けられた冷却経路を流通する冷却媒体によって、光源およびその周辺を冷却することができる。
また、第３の構成において、前記本体部の下方側領域は、前記供給経路よりも前記光源の方が前記栽培対象植物に向けて突出した位置関係になるように形成されており、前記供給経路は、少なくとも前記排出口における一部が前記光源に向けられている。
【００１６】
この構成であれば、一部の栽培媒体が供給経路から光源に向けて排出されるため、この栽培媒体により光源およびその周辺を冷却することができる。
なお、この第３の構成においては、供給経路における排出口の一部が光源に向けられていればよいが、栽培媒体を栽培対象植物に向けて排出するための排出口と、光源に向けて排出するための排出口と、をそれぞれ別系統で設けることとしてもよい。
【００１７】
また、上記課題を解決するため第４の構成（請求項４）は、それぞれ複数の栽培対象植物を配置可能な栽培棚と、該栽培対象植物の上方に配置される植物栽培装置と、からなる植物栽培システムである。そして、前記植物栽培装置には、上記第１から３のいずれかの構成に係る植物栽培装置が用いられる。
【００１８】
このように構成された植物栽培システムであれば、上記各構成と同様の作用効果を得ることができる。
【図面の簡単な説明】
【００１９】
【図１】植物栽培システムの全体構成を示す三面図
【図２】植物栽培装置の構成を示す正面図
【図３】植物栽培システムの制御系統を示すブロック図
【発明を実施するための形態】
【００２０】
以下に本発明の実施形態を図面と共に説明する。
植物栽培システム１は、図１に示すように、それぞれに栽培対象植物を設置するための設置部１２が上下方向に複数段形成されてなる収納棚１０と、収納棚１０それぞれへの給水および排水を行う給排水ホース２０と、栽培対象植物の上方にそれぞれ配置される植物栽培装置３０と、を備えている。
【００２１】
これらのうち、収納棚１０は、前後方向に延びる矩形の構造体となっており、設置部１２それぞれの上方側に植物栽培装置３０が配置された構成とされている。
この植物栽培装置３０は、図２に示すように、栽培対象植物が配置された列（同図奥行方向）に沿って延びる本体部３１と、本体部３１の下方側領域のうち、栽培対象植物それぞれと対向する領域に設けられ、この栽培対象植物に向けて所定波長の光を照射する複数の光源３３と、栽培媒体を排出して栽培対象植物へと供給する供給経路３５と、光源３３を冷却するための冷却媒体を流通させる冷却経路３７と、を備えている。
【００２２】
これらのうち、光源３３は、本体部３１の長手方向（同図奥行方向）に沿って配置された複数の発光ダイオードからなる。なお、光源３３は、複数の栽培対象植物それぞれに光を照射可能な形状のもの１以上が配置された構成としてもよい。
【００２３】
また、この光源３３は、栽培対象植物の種類に応じた最適な波長で光を照射できるものが採用されていればよく、発光ダイオード以外に、例えば、白熱電球、蛍光灯などを採用することもできる。
【００２４】
また、供給経路３５は、本体部３１の下方側領域のうち、光源３３を挟んだ一方または両方の領域を長手方向に沿って延びるように設けられた管状の部材であって、管状の表面から孔状の排出口３９が長手方向に沿って複数形成されている。そして、この管状の内部空間には、二酸化炭素を含む栽培媒体を流通させることにより、この排出口３９それぞれから栽培媒体が排出されるように構成されている。
【００２５】
なお、本実施形態においては、栽培媒体を栽培対象植物側に向けて主に排出するための排出口３９と、光源３３に向けて主に排出するための排出口３９と、がそれぞれ別系統で設けられている。
【００２６】
また、冷却経路３７は、本体部３１において、光源３３が設けられた領域と隣接する領域を長手方向に沿って貫通するように設けられており、この経路内部に冷却媒体が流通することとなる。
【００２７】
この植物栽培システム１は、図３に示すように、光源３３の点灯制御、供給経路３５への栽培媒体の送出を行う栽培ポンプ４１の動作制御、栽培ポンプ４１により送出される栽培媒体における二酸化炭素濃度を調整する調整弁４３の開閉制御、冷却経路３７への冷却媒体の送出を行う冷却ポンプ４５の動作制御、冷却ポンプ４５により送出される冷却媒体の温度を調整する恒温装置４７の動作制御、などといったことのための処理を制御部４９により実施するように構成されている。
【００２８】
このように構成された植物栽培システム１によれば、栽培対象植物それぞれに対して個別に栽培媒体を排出することができるため、大規模かつ高価な空調装置などがなくても、栽培対象植物に適した環境（二酸化炭素濃度など）への調整を容易に実現することができる。
【００２９】
さらに、上記構成では、栽培対象植物それぞれに対して個別に栽培媒体を排出する構造上、栽培対象植物それぞれへと直接的に適切な二酸化炭素濃度の栽培媒体を付与することができるだけでなく、この栽培媒体により栽培対象植物近辺を適切に換気することができるため、栽培対象植物の栽培促進という観点で好適である。
【００３０】
また、上記構成においては、光源３３による光の照射に伴い、この光源３３およびその周辺が発熱するため、適切な温度環境の維持、光源３３としての安定動作といった観点で、光源３３およびその周辺を冷却できるように構成されている。
【００３１】
具体的にいえば、上記構成では、光源３３に沿って設けられた冷却経路３７を流通する冷却媒体によって、光源３３およびその周辺を冷却することができる。
また、上記構成では、供給経路３５から排出口３９を介して一部の栽培媒体が光源３３に向けて排出されるため、この栽培媒体により光源３３およびその周辺を冷却することができる。
【符号の説明】
【００３２】
１…植物栽培システム、１０…収納棚、１２…設置部、２０…給排水ホース、３０…植物栽培装置、３１…本体部、３３…光源、３５…供給経路、３７…冷却経路、３９…排出口、４１…栽培ポンプ、４３…調整弁、４５…冷却ポンプ、４７…恒温装置、４９…制御部。
【図１】
2013106600.tif 000003
【図２】
2013106600.tif 000004
【図３】
2013106600.tif 000005